(57)【要約】【課題】投影機構に加えて撮像機構を設けたとしても、部品点数の増加を抑制することが可能なプロジェクタを提供する。【解決手段】このプロジェクタ１は、光源ランプ１０と、ＤＭＤ１４と、ＤＭＤ１４からの映像光を投影するとともに、外部からの光を入射させるための１つのレンズ７と、１つのレンズ７から入射した光を映像として撮影するためのＣＣＤ１６とを備える。【選択図】図２
2009042688.tif 000002
【特許請求の範囲】
【請求項１】
光源ランプと、
光変調素子と、
前記光変調素子からの映像光を投影するとともに、外部からの光を入射させるための１つのレンズと、
前記１つのレンズから入射した光を映像として撮影するための撮像素子とを備えた、プロジェクタ。
【請求項２】
前記光源ランプからの光を投影する際には、前記光源ランプからの光を前記レンズの方向に反射するように前記光変調素子を制御し、前記レンズからの光を映像として撮影する際には、前記レンズからの光が前記撮像素子の方向に反射するように前記光変調素子を制御する制御部をさらに備える、請求項１に記載のプロジェクタ。
【請求項３】
前記光源ランプからの光を前記光変調素子の方向に向かわないように遮光するための遮光手段と、
前記遮光手段が前記光源ランプからの光を遮光しているか否かを検知するための遮光検知手段とをさらに備え、
前記制御部は、前記遮光検知手段による検知結果に基づいて、前記遮光手段が前記光源ランプからの光を遮光しているときには、前記レンズからの光が前記撮像素子の方向に反射するように前記光変調素子を制御するように構成されている、請求項２に記載のプロジェクタ。
【請求項４】
前記光源ランプと前記光変調素子との間に配置され、前記光源ランプから出射された光を所定の色に着色するために複数の色領域から形成されるカラーフィルタが一体的に設けられた円板状のカラーホイールと、
前記カラーホイールを回転させるモータとをさらに備え、
前記遮光手段は、前記カラーホイールに一体的に設けられた遮光領域を含む、請求項３に記載のプロジェクタ。
【請求項５】
前記カラーホイールのカラーフィルタの回転角度位置を検知するための回転角度位置検知センサをさらに備え、
前記遮光検知手段は、前記回転角度位置検知センサにより検知された前記カラーホイールの回転角度位置に基づいて、前記光源ランプからの光の光路に前記カラーホイールの遮光領域が位置することを検知するように構成されている、請求項４に記載のプロジェクタ。
【請求項６】
前記撮像素子により撮影された映像を記録する記憶部と、
前記撮像素子により撮影された映像を前記記憶部に記録させるための映像記録操作部とをさらに備える、請求項１〜５のいずれか１項に記載のプロジェクタ。
【発明の詳細な説明】
【技術分野】
【０００１】
この発明は、プロジェクタに関し、特に、レンズと撮像素子とを備えるプロジェクタに関する。
【背景技術】
【０００２】
従来、レンズと撮像素子とを備えるプロジェクタが知られている（たとえば、特許文献１〜３参照）。
【０００３】
上記特許文献１には、映像を投影する投影プロジェクタと、投影方向を撮影できるＣＣＤカメラとが別個に設けられた投影装置が開示されている。この投影装置のＣＣＤカメラは、外部からの光を映像として入射させる第１レンズ（レンズ）と、第１レンズから入射した光を映像として撮影するためのＣＣＤ（撮像素子）と、第１レンズから入射した光をＣＣＤの方向へ映像光として反射させるＤＭＤとを含んでいる。
【０００４】
また、上記特許文献２には、装置本体の前面に設けられ、ランプ（光源ランプ）からの光を投射する投射レンズ（レンズ）と、装置本体の前面の投射レンズから所定の間隔を隔てた位置に設置され、投射対象であるスクリーンを撮影するための撮像素子とを備えたプロジェクタが開示されている。このプロジェクタでは、投射レンズの側方に撮像素子が配置されている。
【０００５】
また、上記特許文献３には、光源（光源ランプ）からの光を投影する投影レンズと、投影レンズとは別個に設けられた投影対象であるスクリーンを撮影するための集光レンズと、撮像素子とを備えるプロジェクタが開示されている。このプロジェクタは、スクリーン方向からの光を投影レンズとは別個に設けられた集光レンズにより集光し、集光した光を映像として撮像素子により撮影するように構成されている。
【０００６】
【特許文献１】特開２００２−２２８４２５号公報
【特許文献２】特開２００５−６４６６８号公報
【特許文献３】特開２００５−１５１４１８号公報
【発明の開示】
【発明が解決しようとする課題】
【０００７】
しかしながら、上記特許文献１に記載の投影装置では、投影機能と撮影機能とを備えるように構成するために、投影用のプロジェクタとは別個に、第１レンズとＤＭＤとＣＣＤとを含む撮影用のＣＣＤカメラを設ける必要があるので、その分、部品点数が増加するという問題点がある。
【０００８】
また、上記特許文献２に記載のプロジェクタでは、明確には記載されていないが、ランプからの光を投射するための投射レンズとは別個に、撮像素子にスクリーンからの光を集光するための撮影用レンズを設ける必要があると考えられるので、その分、部品点数が増加するという問題点があると考えられる。
【０００９】
また、上記特許文献３に記載のプロジェクタでは、撮像素子によりスクリーンを撮影するために、光源からの光を投影するための投影レンズとは別個に、スクリーン方向からの光を集光するための集光レンズを設ける必要があるので、その分、部品点数が増加するという問題点がある。
【００１０】
この発明は、上記のような課題を解決するためになされたものであり、この発明の１つの目的は、投影機構に加えて撮像機構を設けたとしても、部品点数の増加を抑制することが可能なプロジェクタを提供することである。
【課題を解決するための手段および発明の効果】
【００１１】
この発明の一の局面によるプロジェクタは、光源ランプと、光変調素子と、光変調素子からの映像光を投影するとともに、外部からの光を入射させるための１つのレンズと、１つのレンズから入射した光を映像として撮影するための撮像素子とを備える。
【００１２】
この一の局面によるプロジェクタでは、上記のように、光変調素子からの映像光を投影するとともに、外部からの光を入射させる１つのレンズを設けることによって、撮像素子により外部の光を映像として撮影するためのレンズを投影のためのレンズとは別個に設ける必要がないので、投影機構に加えて撮像機構を設けたとしても、部品点数の増加を抑制することができる。
【００１３】
上記一の局面によるプロジェクタにおいて、好ましくは、光源ランプからの光を投影する際には、光源ランプからの光をレンズの方向に反射させるように光変調素子を制御し、レンズからの光を映像として撮影する際には、レンズからの光を撮像素子の方向に反射させるように光変調素子を制御する制御部をさらに備える。このように構成すれば、１つの光変調素子が制御部により制御されることによって、光源ランプからの映像光をレンズの方向へ反射させることができるのみならず、レンズから入射する光を撮像素子の方向へ反射させることができる。これにより、レンズから入射する光を撮像素子の方向に反射させるための部品を別途設ける必要がないため、部品点数の増加をより抑制することができる。
【００１４】
この場合、好ましくは、光源ランプからの光を光変調素子の方向に向かわないように遮光するための遮光手段と、遮光手段が光源ランプからの光を遮光しているか否かを検知するための遮光検知手段とをさらに備え、制御部は、遮光検知手段による検知結果に基づいて、遮光手段が光源ランプからの光を遮光しているときには、レンズからの光が撮像素子の方向に反射するように光変調素子を制御するように構成されている。このように構成すれば、光源ランプからの光が遮光手段により遮光された状態で、外部からレンズを介して入射した光が光変調素子により撮像素子の方向に反射されるので、撮像素子がレンズからの光を映像として撮影する際に、外部からレンズを介して入射した光のみを撮影することができる。その結果、撮像素子により、外部からレンズを介して入射した光を映像として正確に撮影することができる。
【００１５】
上記遮光手段を備えるプロジェクタにおいて、好ましくは、光源ランプと光変調素子との間に配置され、光源ランプから出射された光を所定の色に着色するために複数の色領域から形成されるカラーフィルタが一体的に設けられた円板状のカラーホイールと、カラーホイールを回転させるモータとをさらに備え、遮光手段は、カラーホイールの一体的に設けられた遮光領域を含んでいる。このように構成すれば、遮光手段をカラーホイールと一体的に設けることができるので、遮光手段を別途設ける場合と比較して、部品点数の増加を抑制することができる。
【００１６】
この場合、好ましくは、カラーホイールのカラーフィルタの回転角度位置を検知するための回転角度位置検知センサをさらに備え、遮光検知手段は、回転角度位置検知センサにより検知されたカラーホイールの回転角度位置に基づいて、光源ランプからの光の光路にカラーホイールの遮光領域が位置することを検知するように構成されている。このように構成すれば、カラーホイールのカラーフィルタの回転角度位置を検知するための従来の回転角度位置検知センサを用いて、光源ランプからの光の光路にカラーホイールの遮光領域が位置することを検知することができるので、遮光領域の回転角度位置を検知するための専用のセンサを別途設ける必要がない。これによっても、部品点数の増加を抑制することができる。
【００１７】
上記一の局面によるプロジェクタにおいて、好ましくは、撮像素子により撮影された映像を記録する記憶部と、撮像素子により撮影された映像を記憶部に記録させるための映像記録操作部とをさらに備える。このように構成すれば、使用者が映像記録操作部を操作したときにのみ、撮像素子により撮影された映像を記録部に記録することができるので、使用者がプロジェクタの撮影機能を使用する際の利便性を向上させることができる。
【発明を実施するための最良の形態】
【００１８】
以下、本発明を具体化した実施形態を図面に基づいて説明する。
【００１９】
図１は、本発明の一実施形態によるプロジェクタの全体構造を示した斜視図である。また、図２は、図１のプロジェクタの内部構造を示した平面図である。図３〜図７は、図１に示した本発明の一実施形態によるプロジェクタの構成を示した図である。まず、図１〜図７を参照して、本発明の一実施形態によるプロジェクタ１の構成について説明する。
【００２０】
本発明の一実施形態によるプロジェクタ１の筐体２は、図１に示すように、前部筐体３、後部筐体４、上部筐体５、および下部筐体６を含んでいる。前部筐体３の矢印Ｘ１方向の端部側には、レンズ挿入部３ａが形成されている。
【００２１】
ここで、本実施形態では、このレンズ挿入穴３ａには、映像を投影するとともに、外部からの光を入射させるための１つのレンズ７が挿入されている。また、上部筐体５の上面の後方（矢印Ｙ２方向）には、押下により撮影が開始される撮影記録ボタン８ａを含む複数の操作ボタン８が設けられている。なお、撮影記録ボタン８ａは、本発明の「撮影記録操作部」の一例である。
【００２２】
また、図２に示すように、プロジェクタ１の筐体２の内部には、光源であるバルブ１０ａと、バルブ１０ａから照射される光を反射して集光するためのリフレクタ１０ｂとから構成される光源ランプ１０が配置されている。この光源ランプ１０の矢印Ｘ１方向側には、光源ランプ１０から照射された光を赤色、青色、緑色および白色光に順次変化させるためのカラーホイール２０が配置されている。このカラーホイール２０については、後に詳しく説明する。このカラーホイール２０の光源ランプ１０からの光の進行方向（矢印Ｘ１方向）側には、カラーホイール２０を透過した光を集光した状態でミラー１１に到達させるためのライトトンネル１２とリレーレンズ１３とが配置されている。このミラー１１は、リレーレンズ１３によって集光された光をＤＭＤ（Ｄｉｇｉｔａｌ  Ｍｉｃｒｏｍｉｒｒｏｒ  Ｄｅｖｉｃｅ）１４の方向に反射されるために設けられている。
【００２３】
ここで、本実施形態では、図２に示すように、ＤＭＤ１４は、ミラー１１によって反射されて、集光レンズ１５によって集光された光をレンズ７の方向に反射させるとともに、外部（スクリーン）からレンズ７を介して入射した光２００をＣＣＤ１６（Ｃｈａｒｇｅ  Ｃｏｕｐｌｅｄ  Ｄｅｖｉｃｅ）の方向に反射させるために設けられている。なお、ＤＭＤ１４は、本発明の「光変調素子」の一例であり、ＣＣＤ１６は、本発明の「撮像素子」の一例である。また、下部筐体６の後部（矢印Ｙ２方向側）には、配線基板からなる回路部４０が設置されている。
【００２４】
また、カラーホイール２０は、図３〜図５に示すように、金属製（板金製）のカラーホイール支持部２１に固定されたモータ２２のモータ軸２２ａ（図５参照）に回転可能に取り付けられている。具体的には、図５に示すように、カラーホイール２０は、モータ軸２２ａに嵌め込まれた複数のカラーフィルタ部２３と、樹脂製のカラーフィルタ部２３をモータ２２と反対側から固定する金属製の第１固定部材２４および第２固定部材２５と、カラーフィルタ部２３に金属製のスペーサ２６を介して固定されているホイール部２７とを含んでいる。これにより、カラーホイール２０は、モータ２２のモータ軸２２ａの回転にともなって回転するように構成されている。また、図３および図４に示すように、カラーホイール２０のホイール部２７には、カラーホイール２０の回転角度位置を検知するための黒色の吸光部２７ａが設けられている。また、カラーホイール支持部２１には、配線基板２８が固定されている。この配線基板２８上には、ホイール部２７の吸光部２７ａを検知することによりカラーホイール２０の回転角度位置を検知するための光反射型センサからなるセンサ２９が設けられている。なお、センサ２９は、本発明の「遮光検知手段」および「回転角度位置検知センサ」の一例である。このセンサ２９は、発光部と受信部（図示せず）とを含む。  
【００２５】
また、図４に示すように、カラーホイール支持部２１には、モータ逃がし穴２１ａと、３つのネジ挿入穴２１ｂとが設けられている。また、図５に示すように、モータ２２は、カラーホイール支持部２１に固定するための取付部２２ｂを含んでいる。また、取付部２２ｂは、カラーホイール支持部２１のネジ挿入穴２１ｂに対応する位置にネジ挿入穴２２ｃを有している。このカラーホイール支持部２１のネジ挿入穴２１ｂとモータ２２の取付部２２ｂのネジ挿入穴２２ｃとのそれぞれに、カラーホイール支持部２１側からネジ３０を挿入した状態で、ナット３１によってモータ２２側から締結されることによって、モータ２２は、カラーホイール支持部２１に固定されている。
【００２６】
また、本実施形態では、カラーホイール２０の複数のカラーフィルタ部２３は、図３に示すように、光源ランプ１０（図２参照）からの光を透過させるように構成されているとともに、赤色領域２３ａ、青色領域２３ｂ、緑色領域２３ｃ、白色領域２３ｄおよび遮光領域２３ｅから形成されている。このカラーフィルタ部２３は、高速（約７２００ｒｐｍ）で回転することにより、透過させる光源ランプ１０（図２参照）からの光の色を高速で順次変化させることによって、プロジェクタ１のレンズ７（図２参照）から投影される映像を、彩色（混色）されたように人間の目に見えるように投影させることが可能である。なお、カラーフィルタ部２３は、本発明の「カラーフィルタ」の一例である。
【００２７】
また、回路部４０には、図６および図７に示すように、ＤＭＤ１４やモータ２２などの制御を行うＣＰＵからなる第１制御部４１と、ＣＣＤ１６をＣＣＤドライバ４２を介して制御するＣＰＵからなる第２制御部４３とが配置されている。この第１制御部４１は、センサ２９によって検知されたカラーホイール２０の回転角度位置情報および投影する映像信号に基づいて、ＤＭＤ１４をＯＮ状態（光源ランプ１０からの光をレンズ７の方向へ反射させる状態）とＯＦＦ状態（レンズ７から入射する光をＣＣＤ１６の方向へ反射させる状態）とに変化させるように構成されている。なお、第１制御部４１は、本発明の「制御部」の一例である。
【００２８】
また、第１制御部４１は、カラーホイール２０のホイール部２７の吸光部２７ａをセンサ２９が検知した後の経過時間によってカラーホイール２０のカラーフィルタ部２３のどの領域が光源ランプ１０からの光の光路に位置しているかを判断するように構成されている。これにより、第１制御部４１は、カラーフィルタ部２３の赤色領域２３ａ、青色領域２３ｂ、緑色領域２３ｃ、白色領域２３ｄに加えて遮光領域２３ｅが光の経路に位置している期間を判別することが可能になる。また、第１制御部４１は、撮影記録ボタン８ａが押下されると、ＣＣＤ１６によって撮影された映像を記録するように第２制御部４３に情報を伝達するように構成されている。
【００２９】
また、第２制御部４３は、ＣＣＤドライバ４２を介してＣＣＤ１６を制御している。また、ＣＣＤ１６によって撮影された映像は、ＣＣＤドライバ４２によって画像処理された後に第２制御部４３に伝達される。このとき、上部筐体５に設けられた撮影記録ボタン８ａ（図１参照）の押下があれば、第２制御部４３は、遮光領域２３ｅが光の経路に位置している期間においてＣＣＤ１６により撮影された映像をメモリ４４に記録するように制御するように構成されている。なお、メモリ４４は、本発明の「記憶部」の一例である。
【００３０】
図８は、カラーフィルタの各領域が光源ランプからの光の光路に位置している際の、ＤＭＤの状態を説明するための図である。また、図９は、本発明の一実施形態によるプロジェクタが撮影した映像を記録する際の動作を説明するためのフローチャートである。次に、図３、図４および図６〜図９を参照して、本実施形態によるプロジェクタ１の動作について説明する。
【００３１】
まず、図３および図４に示すように、カラーホイール２０がモータ２２により高速（約７２００ｒｐｍ）で回転させることによって、カラーフィルタ部２３の各領域が光源ランプ１０（図６参照）からの光１００の光路に順次位置する。具体的には、光源ランプ１０からの光の光路に位置するカラーフィルタ部２３（図３参照）の色領域は、図８に示すように、赤色領域２３ａ、青色領域２３ｂ、緑色領域２３ｃ、白色領域２３ｄ、遮光領域２３ｅの順番で時分割で変化する。また、各色領域が光源ランプ１０からの光１００の光路に位置する時間は、カラーフィルタ部２３（図３参照）の各色領域の大きさ（角度範囲）に対応している。この赤色領域２３ａ、青色領域２３ｂ、緑色領域２３ｃおよび白色領域２３ｄの色領域の変化に同期させて、投影する画像の映像信号に基づいてＤＭＤ１４のＯＮ／ＯＦＦ制御を行うことにより、各色毎に明るさ（階調）を制御する。これによって、スクリーン上に映像信号に対応したカラーの映像を投影することが可能になる。
【００３２】
また、図８に示すように、遮光領域２３ｅ（図３参照）を除く色領域（赤色領域２３ａ、青色領域２３ｂ、緑色領域２３ｃおよび白色領域２３ｄ）が光源ランプ１０（図６参照）からの光１００の光路に位置すると第１制御部４１に判断された際に、映像信号に応じてＤＭＤ１４は、ＯＮ状態になるように制御されている。そして、所定の色領域と次の色領域との境界領域近傍が光源ランプ１０からの光１００の光路に位置すると判断された際には、ＤＭＤ１４は、一定時間ＯＦＦ状態になる。なお、図８では、説明の便宜上、赤色領域２３ａ、青色領域２３ｂ、緑色領域２３ｃおよび白色領域２３ｄの各境界領域以外の期間の全てでＤＭＤ１４がＯＮ状態になるように図示したが、実際には、各色の映像信号（明るさの階調）に応じてＤＭＤ１４がＯＮする期間とＯＦＦする期間との比を調整することにより、各色の明るさを制御するように構成されている。
【００３３】
ここで、本実施形態では、図８に示すように、白色領域２３ｄから遮光領域２３ｅ（図３参照）に移行する際には、ＤＭＤ１４（図７参照）は、ＯＦＦ状態になるように制御され、遮光領域２３ｅに移行したと判断された後も、ＯＦＦ状態が維持される。そして赤色領域２３ａに移行した後、一定時間経過して、遮光領域２３ｅと赤色領域２３ａとの境界領域を通過したと判断されたときに、ＤＭＤ１４（図７参照）は、ＯＮ状態になるように制御される。
【００３４】
次に、プロジェクタ１の撮影記録動作について説明する。まず、図９に示すように、ステップＳ１において、使用者によって撮影記録ボタン８ａ（図７参照）の押下による撮影指示があったか否かが第１制御部４１により判断され、撮影記録ボタン８ａの押下があるまでこの判断が繰り返される。そして、第１制御部４１により撮影記録ボタン８ａの押下があったと判断されると、ステップＳ２に移行して、センサ２９がカラーホイール２０のホイール部２７の吸光部２７ａを検知したか否かが第１制御部４１により判断され、センサ２９が吸光部２７ａを検知するまでこの判断が繰り返される。そして、第１制御部４１によりセンサ２９が吸光部２７ａを検知したと判断されると、ステップＳ３に移行する。
【００３５】
そして、ステップＳ３において、センサ２９が吸光部２７ａを検知してから所定の時間が経過したか否かが第１制御部４１により判断され、所定の時間が経過するまでこの判断が繰り返される。このステップＳ３では、第１制御部４１は、カラーフィルタ部２３の遮光領域２３ｅが光源ランプ１０からの光の光路に位置しているか否かを判断している。そして、第１制御部４１によりセンサ２９が吸光部２７ａを検知してから所定の時間が経過したと判断された場合には、ステップＳ４に移行して、ＤＭＤ１４はＯＦＦ状態になるように制御されてステップＳ５に移行する。このとき、光源ランプ１０からの光１００がカラーフィルタ部２３の遮光領域２３ｅによって遮光された状態で、外部（スクリーン）からレンズ７を介して入射した光２００は、ＯＦＦ状態のＤＭＤ１４によってＣＣＤ１６の方向反射されて、ＣＣＤ１６により映像として撮影される。
【００３６】
そして、ステップＳ５において、ＣＣＤ１６により撮影された映像のメモリ４４への記録を開始するように第２制御部４３によって制御されて、ステップＳ６に移行する。そして、ステップＳ６において、センサ２９が吸光部２７ａを検知して、ステップＳ３からさらに所定の時間の時間が経過したかが第１制御部４１により判断され、所定の時間が経過したと判断されるまでこの判断が繰り返される。このステップＳ６では、第１制御部４１は、カラーフィルタ部２３の遮光領域２３ｅが光源ランプ１０（図２参照）からの光の光路の位置から赤色領域２３ａに移行して遮光領域２３ｅと赤色領域２３ａとの境界領域を通過したか否かを判断している。そして、ステップＳ６において、センサ２９が吸光部２７ａを検知して、ステップＳ３からさらに所定の時間が経過したと判断された場合には、ステップＳ７に移行して、第１制御部４１から第２制御部４３に情報が伝達されて、ＣＣＤ１６からの映像をメモリ４４による記録を終了させて、ステップＳ８に移行する。そして、ステップＳ８において、第１制御部４１により、ＤＭＤ１４はＯＮ状態になるように制御される。
【００３７】
本実施形態では、上記のように、ＤＭＤ１４からの映像光を投影するとともに、外部からの光を入射させる１つのレンズ７を設けることによって、ＣＣＤ１６により外部の光を映像として撮影するためのレンズを投影のためのレンズとは別個に設ける必要がないので、投影機構に加えて撮像機構を設けたとしても、部品点数の増加を抑制することができる。
【００３８】
また、本実施形態では、上記のように、光源ランプ１０からの光を投影する際には、光源ランプ１０からの光をレンズ７の方向に反射するようにＤＭＤ１４を制御し、レンズ７からの光を映像として撮影する際には、レンズ７からの光がＣＣＤ１６の方向に反射するようにＤＭＤ１４を制御する第１制御部４１をさらに備えるように構成することによって、１つのＤＭＤ１４の第１制御部４１による制御によって、光源ランプ１０からの映像光をレンズ７の方向へ反射させることができるのみならず、レンズ７から入射する光をＣＣＤ１６の方向へ反射させることができる。これにより、レンズ７から入射する光をＣＣＤ１６の方向に反射させるための部品を別途設ける必要がないため、部品点数の増加をより抑制することができる。
【００３９】
また、本実施形態では、上記のように、光源ランプ１０とＤＭＤ１４との間に配置され、光源ランプ１０から出射された光を所定の色に着色するために複数の色領域から形成されるカラーフィルタ部２３と一体的に設けられた円板状のカラーホイール２０と、カラーホイール２０を回転させるモータとをさらに備え、カラーホイール２０のカラーフィルタ部２３に一体的に設けられた遮光領域２３ｅを含むように構成することによって、遮光を行うための手段をカラーホイール２０と一体的に設けることができるので、遮光を行うための手段を別途設ける場合と比較して、部品点数の増加を抑制することができる。
【００４０】
また、本実施形態では、上記のように、カラーホイール２０のカラーフィルタ部２３の回転角度位置を検知するためのセンサ２９をさらに備え、センサ２９により検知されたカラーホイール２０の回転角度位置によって、カラーホイール２０がカラーフィルタ部２３の遮光領域２３ｅに位置することを検知するように構成することによって、カラーホイール２０のカラーフィルタ部２３の回転角度位置を検知するための従来の光反射型センサからなるセンサ２９を用いて、光源ランプ１０からの光が遮光されているか否かを検知することができるので、遮光領域２３ｅの回転角度位置を検知するための専用のセンサを別途設ける必要がない。これにより、部品点数の増加を抑制することができる。
【００４１】
また、本実施形態では、上記のように、第１制御部４１を、カラーホイール２０のカラーフィルタ部２３の遮光領域２３ｅが光源ランプ１０からの光１００の光路に位置しているときには、センサ２９によるカラーフィルタ２３の回転角度位置情報に基づいて、レンズ７からの光がＣＣＤ１６の方向に反射するようにＤＭＤ１４を制御するように構成することによって、光源ランプ１０からの光が遮光された状態で、レンズ７を介して入射した光は、ＤＭＤ１４によりＣＣＤ１６の方向に反射されるので、ＣＣＤ１６がレンズ７を介して入射した光を映像として撮影する際に、レンズ７を介して入射した光のみを撮影することができる。その結果、ＣＣＤ１６により、レンズ７を介して入射した光を映像として正確に撮影することができる。
【００４２】
また、本実施形態では、上記のように、ＣＣＤ１６により撮影された映像を記録するメモリ４４と、ＣＣＤ１６により撮影された映像をメモリ４４に記録させるための撮影記録ボタン８ａとをさらに備えるように構成することによって、使用者が映像記録ボタンを押下したときにのみ、ＣＣＤ１６により撮影された映像をメモリ４４に記録するので、使用者がプロジェクタ１の撮影機能を使用する際の利便性を向上させることができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
たとえば、上記実施形態では、筐体に設けられた撮影記録ボタン８ａに押下によって、ＣＣＤにより撮影された映像をメモリに記録するように制御する例を示したが、本発明はこれに限らず、プロジェクタを操作することのできるリモコンに設けられた撮影記録キーによってメモリをＣＣＤによって撮影された映像を記録するように制御するように構成してもよい。
【００４５】
また、上記実施形態では、遮光手段をカラーホイールのカラーフィルタに形成された遮光領域により構成する例を示したが、本発明はこれに限らず、遮光手段を、光源ランプとミラーとの間にカラーホイールとは別個に設けた遮光部材により構成してもよい。
【図面の簡単な説明】
【００４６】
【図１】本発明の一実施形態によるプロジェクタの全体構造を示した斜視図である。
【図２】図１に示した一実施形態によるプロジェクタの内部構造を説明するための平面図である。
【図３】図１に示した一実施形態によるプロジェクタのカラーホイールの構造を説明するための斜視図である。
【図４】図１に示した一実施形態によるプロジェクタのカラーホイールの構造を説明するための斜視図である。
【図５】図３に示した一実施形態によるカラーホイールの構造を説明するための断面図である。
【図６】図１に示した一実施形態によるプロジェクタの構成を説明するための図である。
【図７】図１に示した一実施形態によるプロジェクタの回路部の構成を説明するためのブロック図である。
【図８】図１に示した一実施形態によるプロジェクタのカラーホイールのカラーフィルタの順次変化と、カラーフィルタの順次変化に対応したＤＭＤの状態変化とを説明するための図である。
【図９】図１に示した一実施形態によるプロジェクタの動作を説明するためのフローチャートである。
【符号の説明】
【００４７】
１  プロジェクタ
７  レンズ
８ａ  撮影記録ボタン（撮影記録操作部）
１０  光源ランプ
１４  ＤＭＤ（光変調素子）
１６  ＣＣＤ（撮像素子）
２０  カラーホイール
２２  モータ
２３  カラーフィルタ部（カラーフィルタ）
２３ｅ  遮光領域（遮光手段）
２９  センサ（遮光検知手段、回転角度位置検知センサ）
４１  第１制御部（制御部、遮光検知手段）
４４  メモリ（記憶部）
【図１】
2009042688.tif 000003
【図２】
2009042688.tif 000004
【図３】
2009042688.tif 000005
【図４】
2009042688.tif 000006
【図５】
2009042688.tif 000007
【図６】
2009042688.tif 000008
【図７】
2009042688.tif 000009
【図８】
2009042688.tif 000010
【図９】
2009042688.tif 000011